【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
節電モードを有する複数の出力装置と、ネットワークを介して前記複数の出力装置の節電モードを管理する管理装置とを具えた節電管理システムであって、
前記管理装置は、
節電モードへ移行する時間を示す節電モード移行時間を記憶する管理情報記憶手段と、
前記管理情報記憶手段に記憶された節電モード移行時間を少なくとも１つの前記出力装置に前記ネットワークを介して通知する通知手段とを有し、
前記出力装置は、
タイマと、
節電モード移行時間を記憶する節電モード移行時間記憶手段と、
前記タイマによる計測時間が前記節電モード移行時間記憶手段内の節電モード移行時間に達したときに出力装置を節電モードに移行させる節電モード制御手段と、
前記通知手段により通知された節電モード移行時間に従って節電モード移行時間記憶手段内の節電モード移行時間を更新する更新手段とを有することを特徴とする節電管理システム。
【請求項２】
請求項１において、
前記複数の出力装置のいずれか１つに前記管理装置が組み込まれ、
当該管理装置は、前記管理情報記憶手段内の節電モード移行時間を更新する第２更新手段を有し、
前記通知手段は、前記第２更新手段により前記管理情報記憶手段内の節電モード移行時間が更新された場合は当該更新後の節電モード移行時間を前記複数の出力装置に前記ネットワークを介して同報通信することを特徴とする節電管理システム。
【請求項３】
請求項２において、
前記出力装置は、前記管理装置から通知された節電モード移行時間に従って前記節電モード移行時間記憶手段内の節電モード移行時間が更新された場合に、当該更新が行われたことを表示する表示手段を有することを特徴とする節電管理システム。
【請求項４】
請求項２または３において、
前記第２更新手段は、対話的操作可能な表示装置を有し、前記管理装置から同報通信された節電モード移行時間を受信した出力装置からの節電モード移行時間の更新の成否を示す応答を受けたときに、当該出力装置による節電モード移行時間の更新の成否を示すメッセージを前記表示装置上に表示することを特徴とする節電管理システム。
【請求項５】
請求項４において、
前記第２更新手段は、前記複数の出力装置からの節電モード移行時間の更新の成否を示す応答に基づいて更新された出力装置数と更新されなかった出力装置数とをカウントし、そのカウント結果を前記表示装置上に表示することを特徴とする節電管理システム。
【請求項６】
請求項１において、
さらに、クライアント装置を有し、当該クライアント装置は、前記ネットワークを介して前記管理情報記憶手段内の節電モード移行時間を更新する第３更新手段を有することを特徴とする節電管理システム。
【請求項７】
請求項１または６において、
前記通知手段は、前記管理情報記憶手段内の節電モード移行時間が更新された場合、更新されたことに応じて、節電モード移行時間を通知することを特徴とする節電管理システム。
【請求項８】
請求項１、６および７のいずれかにおいて、
前記出力装置は、前記管理装置から通知された節電モード移行時間に従って前記節電モード移行時間記憶手段内の節電モード移行時間が更新された場合に、節電モード移行時間の更新が行われたことを表示する表示手段を有することを特徴とする節電管理システム。
【請求項９】
請求項１において、
前記出力装置は、前記管理装置に対して節電モード移行時間を問い合わせる問い合わせ手段を有し、
前記通知手段は、前記問い合わせ手段からの節電モード移行時間の問い合わせに応答して、前記管理情報記憶手段に記憶されている節電モード移行時間を問い合わせ元の出力装置に通知し、
前記更新手段は、前記節電モード移行時間記憶手段に記憶されている節電モード移行時間を通知された節電モード移行時間に更新することを特徴とする節電管理システム。
【請求項１０】
請求項９において、
前記出力装置は、第２タイマを有し、
前記問い合わせ手段は、前記第２タイマによる計測時間が所定時間に達したときに、節電モード移行時間を問い合せることを特徴とする節電管理システム。
【請求項１１】
請求項１において、
前記更新手段は、前記節電モード移行時間記憶手段内の節電モード移行時間を任意に設定する機能を有し、
前記出力装置は、前記更新手段によって前記節電モード移行時間記憶手段内の節電モード移行時間を任意に設定したときは、任意に設定された節電モード移行時間を、前記管理装置に前記ネットワークを介して通知する第２通知手段を有し、
前記管理装置は、前記出力装置から通知された節電モード移行時間に従って前記管理情報記憶手段内の節電モード移行時間を更新する第４更新手段を有することを特徴とする節電管理システム。
【請求項１２】
請求項１１において、
前記更新手段は、前記出力装置から通知された節電モード移行時間を受信した前記管理装置からの節電モード移行時間の更新の成否を示す応答を受けたときに、当該管理装置による節電モード移行時間の更新の成否を示すメッセージを表示装置上に表示することを特徴とする節電管理システム。
【請求項１３】
節電モードを有し、ネットワークを介して他の出力装置と通信可能な出力装置であって、
節電モードへ移行する時間を示す節電モード移行時間を記憶する管理情報記憶手段と、
前記管理情報記憶手段内の節電モード移行時間を更新する更新手段と、
前記更新手段により前記管理情報記憶手段内の節電モード移行時間が更新された場合は、更新後の節電モード移行時間を前記他の出力装置に前記ネットワークを介して通信する通信手段を有し、
前記他の出力装置は、
タイマと、
節電モード移行時間を記憶する節電モード移行時間記憶手段と、
前記タイマによる計測時間が前記節電モード移行時間記憶手段内の節電モード移行時間に達したときに、前記他の出力装置を節電モードに移行させる節電モード制御手段と、
前記通知手段により通知された節電モード移行時間に従って、節電モード移行時間記憶手段内の節電モード移行時間を更新する第２更新手段とを有することを特徴とする出力装置。
【請求項１４】
請求項１３において、
前記通知手段は、更新後の節電モード移行時間を複数の他の出力装置に前記ネットワークを介して同報通信することを特徴とする出力装置。
【請求項１５】
請求項１３において、
前記他の出力装置は、前記通知手段により通知された節電モード移行時間に従って前記節電モード移行時間記憶手段内の節電モード移行時間が更新された場合に、節電モード移行時間が更新が行われたことを表示する表示手段を有することを特徴とする出力装置。
【請求項１６】
タイマによる計測時間が節電モード移行時間に達したときに節電モードに移行する複数の出力装置と、ネットワークを介して前記複数の出力装置の節電モードを管理する管理装置とで行われる節電管理方法であって、
前記管理装置から、節電モード移行時間を前記複数の出力装置の少なくとも１つに前記ネットワークを介して通知し、
前記出力装置において、前記管理装置から通知された節電モード移行時間に従って節電モード移行時間を更新することを特徴とする節電管理方法。
【請求項１７】
請求項１６において、
前記出力装置からの節電モード移行時間の問い合わせに応答して節電モード移行時間を、前記管理装置から問い合わせ元の出力装置に通知し、
問い合わせ元の出力装置において、通知された節電モード移行時間に従って節電モード移行時間を更新することを特徴とする節電管理方法。
【請求項１８】
請求項１６において、
前記出力装置において、節電モード移行時間を任意に設定した際に、任意に設定された節電モード移行時間を、前記出力装置から前記管理装置に前記ネットワークを介して通知し、
前記管理装置において、前記出力装置から通知された節電モード移行時間に従って節電モード移行時間を更新することを特徴とする節電管理方法。
【請求項１９】
節電モードを有し、ネットワークを介して他の出力装置と通信可能な出力装置で行われる節電管理方法であって、
前記出力装置において、節電モードへ移行する時間を示す節電モード移行時間を更新し、
節電モード移行時間が更新された場合は、更新後の節電モード移行時間を前記出力装置から前記他の出力装置に前記ネットワークを介して通信し、
前記他の出力装置において、前記出力装置から通知された節電モード移行時間に従って節電モード移行時間を更新することを特徴とする節電管理方法。
【手続補正２】
【補正対象書類名】明細書
【補正対象項目名】００１６
【補正方法】変更
【補正の内容】
【００１６】
【課題を解決するための手段】
前述のような目的を達成するために、請求項１の発明は、節電モードを有する複数の出力装置と、ネットワークを介して前記複数の出力装置の節電モードを管理する管理装置とを具えた節電管理システムであって、前記管理装置は、節電モードへ移行する時間を示す節電モード移行時間を記憶する管理情報記憶手段と、前記管理情報記憶手段に記憶された節電モード移行時間を少なくとも１つの前記出力装置に前記ネットワークを介して通知する通知手段とを有し、前記出力装置は、タイマと、節電モード移行時間を記憶する節電モード移行時間記憶手段と、前記タイマによる計測時間が前記節電モード移行時間記憶手段内の節電モード移行時間に達したときに出力装置を節電モードに移行させる節電モード制御手段と、前記通知手段により通知された節電モード移行時間に従って節電モード移行時間記憶手段内の節電モード移行時間を更新する更新手段とを有することを特徴とする。
【手続補正３】
【補正対象書類名】明細書
【補正対象項目名】００１７
【補正方法】変更
【補正の内容】
【００１７】
請求項２の発明は、請求項１において、前記複数の出力装置のいずれか１つに前記管理装置が組み込まれ、当該管理装置は、前記管理情報記憶手段内の節電モード移行時間を更新する第２更新手段を有し、前記第１通知手段は、前記第２更新手段により前記管理情報記憶手段内の節電モード移行時間が更新された場合は当該更新後の節電モード移行時間を前記複数の出力装置に前記ネットワークを介して同報通信することを特徴とする。
【手続補正４】
【補正対象書類名】明細書
【補正対象項目名】００１８
【補正方法】変更
【補正の内容】
【００１８】
請求項３の発明は、請求項２において、前記出力装置は、前記管理装置から通知された節電モード移行時間に従って前記節電モード移行時間記憶手段内の節電モード移行時間が更新された場合に、当該更新が行われたことを表示する表示手段を有することを特徴とする。
【手続補正５】
【補正対象書類名】明細書
【補正対象項目名】００１９
【補正方法】変更
【補正の内容】
【００１９】
請求項４の発明は、請求項２または３において、前記第２更新手段は、対話的操作可能な表示装置を有し、前記管理装置から同報通信された節電モード移行時間を受信した出力装置からの節電モード移行時間の更新の成否を示す応答を受けたときに、当該出力装置による節電モード移行時間の更新の成否を示すメッセージを前記表示装置上に表示することを特徴とする。
【手続補正６】
【補正対象書類名】明細書
【補正対象項目名】００２０
【補正方法】変更
【補正の内容】
【００２０】
請求項５の発明は、請求項４において、前記第２更新手段は、前記複数の出力装置からの節電モード移行時間の更新の成否を示す応答に基づいて更新された出力装置数と更新されなかった出力装置数とをカウントし、そのカウント結果を前記表示装置上に表示することを特徴とする。
【手続補正７】
【補正対象書類名】明細書
【補正対象項目名】００２１
【補正方法】変更
【補正の内容】
【００２１】
請求項６の発明は、請求項１において、さらに、クライアント装置を有し、当該クライアント装置は、前記ネットワークを介して前記管理情報記憶手段内の節電モード移行時間を更新する第３更新手段を有することを特徴とする。
【手続補正８】
【補正対象書類名】明細書
【補正対象項目名】００２２
【補正方法】変更
【補正の内容】
【００２２】
請求項７の発明は、請求項１または６において、前記通知手段は、前記管理情報記憶手段内の節電モード移行時間が更新された場合、更新されたことに応じて、節電モード移行時間を通知することを特徴とする。
【手続補正９】
【補正対象書類名】明細書
【補正対象項目名】００２３
【補正方法】変更
【補正の内容】
【００２３】
請求項８の発明は、請求項１、６および７のいずれかにおいて、前記出力装置は、前記管理装置から通知された節電モード移行時間に従って前記節電モード移行時間記憶手段内の節電モード移行時間が更新された場合に、節電モード移行時間の更新が行われたことを表示する表示手段を有することを特徴とする。
【手続補正１０】
【補正対象書類名】明細書
【補正対象項目名】００２４
【補正方法】変更
【補正の内容】
【００２４】
請求項９の発明は、請求項１において、前記出力装置は、前記管理装置に対して節電モード移行時間を問い合わせる問い合わせ手段を有し、前記通知手段は、前記問い合わせ手段からの節電モード移行時間の問い合わせに応答して、前記管理情報記憶手段に記憶されている節電モード移行時間を問い合わせ元の出力装置に通知し、前記更新手段は、前記節電モード移行時間記憶手段に記憶されている節電モード移行時間を通知された節電モード移行時間に更新することを特徴とする。
【手続補正１１】
【補正対象書類名】明細書
【補正対象項目名】００２５
【補正方法】変更
【補正の内容】
【００２５】
請求項１０の発明は、請求項９において、前記出力装置は、第２タイマを有し、前記問い合わせ手段は、前記第２タイマによる計測時間が所定時間に達したときに、節電モード移行時間を問い合せることを特徴とする。
【手続補正１２】
【補正対象書類名】明細書
【補正対象項目名】００２６
【補正方法】変更
【補正の内容】
【００２６】
請求項１１の発明は、請求項１において、前記更新手段は、前記節電モード移行時間記憶手段内の節電モード移行時間を任意に設定する機能を有し、前記出力装置は、前記更新手段によって前記節電モード移行時間記憶手段内の節電モード移行時間を任意に設定したときは、任意に設定された節電モード移行時間を、前記管理装置に前記ネットワークを介して通知する第２通知手段を有し、前記管理装置は、前記出力装置から通知された節電モード移行時間に従って前記管理情報記憶手段内の節電モード移行時間を更新する第２４更新手段を有することを特徴とする。
【手続補正１３】
【補正対象書類名】明細書
【補正対象項目名】００２７
【補正方法】変更
【補正の内容】
【００２７】
請求項１２の発明は、請求項１１のいずれかにおいて、前記更新手段は、前記出力装置から通知された節電モード移行時間を受信した前記管理装置からの節電モード移行時間の更新の成否を示す応答を受けたときに、当該管理装置による節電モード移行時間の更新の成否を示すメッセージを表示装置上に表示することを特徴とする。
【手続補正１４】
【補正対象書類名】明細書
【補正対象項目名】００２８
【補正方法】変更
【補正の内容】
【００２８】
請求項１３の発明は、節電モードを有し、ネットワークを介して他の出力装置と通信可能な出力装置であって、節電モードへ移行する時間を示す節電モード移行時間を記憶する管理情報記憶手段と、前記管理情報記憶手段内の節電モード移行時間を更新する第１更新手段と、前記更新手段により前記管理情報記憶手段内の節電モード移行時間が更新された場合は、更新後の節電モード移行時間を前記他の出力装置に前記ネットワークを介して通信する通信手段を有し、前記他の出力装置は、タイマと、節電モード移行時間を記憶する節電モード移行時間記憶手段と、前記タイマによる計測時間が前記節電モード移行時間記憶手段内の節電モード移行時間に達したときに、前記他の出力装置を節電モードに移行させる節電モード制御手段と、前記通知手段により通知された節電モード移行時間に従って、節電モード移行時間記憶手段内の節電モード移行時間を更新する第２更新手段とを有することを特徴とする。
【手続補正１５】
【補正対象書類名】明細書
【補正対象項目名】００２９
【補正方法】変更
【補正の内容】
【００２９】
請求項１４の発明は、請求項１３において、前記通知手段は、更新後の節電モード移行時間を複数の他の出力装置に前記ネットワークを介して同報通信することを特徴とする。
【手続補正１６】
【補正対象書類名】明細書
【補正対象項目名】００３０
【補正方法】変更
【補正の内容】
【００３０】
請求項１５の発明は、請求項１３において、前記他の出力装置は、前記通知手段により通知された節電モード移行時間に従って前記節電モード移行時間記憶手段内の節電モード移行時間が更新された場合に、節電モード移行時間が更新が行われたことを表示する表示手段を有することを特徴とする。
【手続補正１７】
【補正対象書類名】明細書
【補正対象項目名】００３１
【補正方法】変更
【補正の内容】
【００３１】
請求項１６の発明は、タイマによる計測時間が節電モード移行時間に達したときに節電モードに移行する複数の出力装置と、ネットワークを介して前記複数の出力装置の節電モードを管理する管理装置とで行われる節電管理方法であって、前記管理装置から、節電モード移行時間を前記複数の出力装置の少なくとも１つに前記ネットワークを介して通知し、前記出力装置において、前記管理装置から通知された節電モード移行時間に従って節電モード移行時間を更新することを特徴とする。
【手続補正１８】
【補正対象書類名】明細書
【補正対象項目名】００３２
【補正方法】変更
【補正の内容】
【００３２】
請求項１７の発明は、請求項１６において、前記出力装置からの節電モード移行時間の問い合わせに応答して節電モード移行時間を、前記管理装置から問い合わせ元の出力装置に通知し、問い合わせ元の出力装置において、通知された節電モード移行時間に従って節電モード移行時間を更新することを特徴とする。
【手続補正１９】
【補正対象書類名】明細書
【補正対象項目名】００３３
【補正方法】変更
【補正の内容】
【００３３】
請求項１８の発明は、請求項１６において、前記出力装置において、節電モード移行時間を任意に設定した際に、任意に設定された節電モード移行時間を、前記出力装置から前記管理装置に前記ネットワークを介して通知し、前記管理装置において、前記出力装置から通知された節電モード移行時間に従って節電モード移行時間を更新することを特徴とする。
【手続補正２０】
【補正対象書類名】明細書
【補正対象項目名】００３４
【補正方法】変更
【補正の内容】
【００３４】
請求項１９の発明は、節電モードを有し、ネットワークを介して他の出力装置と通信可能な出力装置で行われる節電管理方法であって、前記出力装置において、節電モードへ移行する時間を示す節電モード移行時間を更新し、節電モード移行時間が更新された場合は、更新後の節電モード移行時間を前記出力装置から前記他の出力装置に前記ネットワークを介して通信し、前記他の出力装置において、前記出力装置から通知された節電モード移行時間に従って節電モード移行時間を更新することを特徴とする。
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】